(57)【要約】  【課題】装飾部材と被取付部材の固定を、複雑な構造を採用することなく見栄えの良い取付け構造を提供すると共に、装飾部材が宝石状のものであったときに本来持っているその光輝を損なうことのない加飾部材の取付け構造を提供する。  【解決手段】化粧板１０に装飾石７を固定するには装飾石７の底面７ｂをホルダ８の基部８ａの上部に当接させた状態で当該装飾石７の上面７ａの周縁部を保持して一体化し、締付用カラー１２を基部８ａの切起片８ｅの付勢力に抗して挿入して一体化したものを化粧板１０の小径部１０ａ１にホルダ８の基部８ａの下端を挿入し、切起片８ｅの付勢力に抗してさらに挿入する。すると、切起片８ｅの付勢力によってホルダ８の全体が下方に引っ張られ、これに伴って締付用カラー１２の底面が開口部１０ａの段差面によって位置規制された状態でホルダ８の延出部８ｂが引っ張られて爪部８ｃによる装飾石７の固定がより強固になされる。【選択図】  図１
2006066963.tif 000002
【特許請求の範囲】
【請求項１】
被取付部材に形成された凹部の中に、加飾部材の表面の一部を前記被取付部材から露呈させた状態となるように、保持手段を介して前記加飾部材を保持する加飾部材の取付け構造において、
前記保持手段は、
前記凹部を、前記加飾部材が格納される大内径部と、該大内径部に連設される小内径部で構成し、前記加飾部材の一端部の周縁部を係止する爪部と、該爪部から延出して前記加飾部材の他端部に至り、前記小内径部を貫通して前記爪部を前記加飾部材を前記小内径部方向に付勢する付勢部材とからなる保持部材を有して構成することを特徴とする加飾部材の取付け構造。
【請求項２】
前記加飾部材は、円または多角の錐形状に形成され、前記保持部材は、前記錐形状の基部が前記爪部で係止されるように構成することを特徴とする請求項１に記載の加飾部材の取付け構造。
【請求項３】
前記加飾部材は、円または多角の柱状に形成され、前記保持部材は、前記柱形状の上縁部が前記爪部で係止されるように構成することを特徴とする請求項１に記載の加飾部材の取付け構造。
【請求項４】
前記加飾部材の前記錐形状の頂部、または錐形部に光を入射させる光源を付加することを特徴とする請求項３に記載の加飾部材の取付け構造。
【請求項５】
前記加飾部材の前記柱形状の下部、または周部に光を入射させる光源を付加することを特徴とする請求項３に記載の加飾部材の取付け構造。
【請求項６】
前記保持部材の有する付勢部材は、該保持部材の壁面の一部を切り起こして形成される切起片を具備することを特徴とする請求項１に記載の加飾部材の取付け構造。
【請求項７】
前記加飾部材は、天然の貴石もしくは該貴石を模した材質で形成されることを特徴とする請求項１乃至請求項６のいずれかに記載の加飾部材の取付け構造。
【請求項８】
前記被取付部材は、携帯電話機、携帯情報端末等の電子機器の筐体であることを特徴とする請求項１乃至請求項６のいずれかに記載の加飾部材の取付け構造。
【請求項９】
前記被取付部材は、前記筐体に対して付加的に用いられるアクセサリ用品であることを特徴とする請求項８に記載の加飾部材の取付け構造。
【発明の詳細な説明】
【技術分野】
【０００１】
本発明は、携帯電話機、電卓、赤外線リモコン、携帯情報端末機器等々の電子機器の筐体に加飾部材を取り付けたり、その筐体に付加的に取り付けられたり単独で用いられるストラップ等のアクセサリ用品に加飾部材を取り付ける構造、即ち加飾部材の取付け構造の改良に関する。
【背景技術】
【０００２】
例えば天然の宝石やそれを模して硝材で製作された装飾部材を用いる場合には、装飾部材が電子機器の筐体に取り付けて使用する場合と、電子機器筐体に対して付加的に使用したり、別個に独立して使用されるアクセサリ用品に取り付けて使用する場合がある。
【０００３】
また、携帯電話機等の電子機器に装飾部材を取り付ける場合、単なる装飾のための部位に設ける他に、操作釦のそのものに取り付ける場合がある。
【０００４】
例えば［特許文献１］に開示されているように、携帯情報端末装置用の押釦の中央を垂直に押操作するモードと、該中央部を芯にして上下左右方向にシーソー状に操作するモードを兼ねさせた、いわゆるスクロールキー釦に装飾性を持たせたものがある。
【０００５】
この例では、ダイアモンドカット様の互いに連なる複数の面からなる表面を有する透明な装飾石（宝石状ガラス玉）の底面を、当該押釦の上面に埋設して接着材料を用いて固定している。
【０００６】
この装飾石は、底面に反射膜を付着させたり、表面に薄膜コーティングを施こすことによって反射光に微妙な色が生じるようにされているので、天然ダイアモンドに見られるような光輝状態を作り出すことができる。
【０００７】
そして、操作用の押釦の上面、即ち手指でもって押操作されるときの接触部位に凹部を形成し、この中に装飾石の底面を接着剤等を用いて固定し、装飾石と押釦を一体化すると共に、装飾石の外周方向の上下左右部位にシーソー操作をし易くするための小突起を形成している。
【０００８】
従って、当該押釦の中央に取り付けられた装飾石の表面が手指の滑り止めの機能を発揮するので、スクロールキーの押操作が確実に行なえると共に、装飾石の存在により良好な装飾性を持たせることができ、当該装飾石をユーザーの好みに応じて交換、例えばルビー宝石を模した装飾石や、キャッツアイ宝石を模した装飾石とすることができ、ガラス以外の材質、例えばアクリル樹脂系やポリカーボネイト系の硬質合成樹脂製であったり、天然物の場合もある。
【０００９】
この例は、電子機器の操作釦に装飾部材を埋め込んで装飾性を持たせる場合の他に、例えば［特許文献２］に開示されている通信機用着信報知器のように、着信を感知して発光するアクセサリ用品に装飾性を持たせた例がある。
【００１０】
着信を検知する電気回路の出力によって発光されるユニットを携帯電話機の本体とは別体に構成して単独で用いたり、ストラップと共に用いたり、アンテナの先端に当該部材を取り付けたりしている。
【００１１】
携帯電話機の本体の適宜の部位に取り付ける場合に、発光素子、例えばＬＥＤの発光部位に装飾性を持たせたものとし携帯電話機の本体表面に面接触可能な取り付け面を有させてこの取り付け面に両面接着テープ等の接着手段を用いて貼り付けて携帯電話機そのものに装飾性を持たせ、アクセサリとしての装飾性を得ることができる。
【００１２】
また、携帯電話機に直接に取り付けて機器自体に装飾性を持たせる他に、当該の本体に装飾性を付与する装飾部材をストラップ等を介して取り付けることによっても装飾性を持たせることができる。
【００１３】
さらに、前記本体ケースには、紐状体を挿通する挿通孔を形成するとよい。ストラップ等の紐状体を用いれば、接着以外でも取り付けられる上に、接着により取り付けたときには、挿通孔を、別の装飾部材を取り付けるのに使用できる。
【００１４】
従って、携帯電話機が着信状態になると、予め設定した所定時間の間にＬＥＤが発光し、この光は、付加する部材を通して発光するので、ＬＥＤを複数個設け、順々に点滅するように制御すれば、単に光るだけよりも注意を引くので、面白みがあると共に、着信報知を確実に行なうことができ、着信のないときには光らない装飾部材が、光ったときとは違う印象となる装飾効果を発揮し装飾性の良好なアクセサリ用品を得ることができる。
【００１５】
さて、現在広く普及している携帯電話機は多機能化し、通常の通話機能やメール送受信機能を有するのみならず、撮像機能が付加されたものが一般化し、このような撮像機能付きの携帯電話機のレンズ部分は、多くの場合、レンズキャップなどによる保護はなされておらず、常に外部に露呈しているものが一般的で、機器本体とは別体のレンズキャップが準備されている場合があるがこれは撮影を行わない場合にレンズを保護するものであり、撮影時には取り外されるようになっているのみである。
【００１６】
このようなレンズキャップに装飾性を持たせたものが、例えば［特許文献３］にカメラ機能付き携帯電話のレンズ保護部材として開示され、携帯電話機の撮像レンズ部分を汚損や破損から保護する部材に本来の保護機能を持たせると同時に装飾性をも持たせている例がある。
【００１７】
即ち、携帯電話機に設けられた撮像レンズの撮像光束の障害とならないような大きさの開口を有する平板状の枠体を準備し、これを両面接着テープ等を用いて撮像レンズの部位に撮像光束の障害とならないように固定し、撮像時には当該の枠体によって回転支持される蓋板を設け、撮像レンズの保護時には蓋板を回転させて開口を覆った位置にし、撮像時には開口を露呈した位置にする。
【００１８】
このとき、枠体と蓋板の外形状を動物の外観や顔等のキャラクター形状とし、その板面に装飾石を嵌め込むことによって装飾性をも持たせるようにしているので、蓋板が枠体に回転自在に保持されているのでその紛失が防止され、これと同時に撮像に際して人を被写体とする場合にはその視線を自然にカメラのレンズに向けさせることができるという利点もある。
【特許文献１】実用新案登録第３０７４２８７号（図１と図２、［００１４］〜［００１６］）
【特許文献２】実用新案登録第３０９１３９３号（図１と図２、［００１５］〜［００１８］）
【特許文献３】実用新案登録第３０９７６１３号（図１、［００１４］〜［００１９］）
【発明の開示】
【発明が解決しようとする課題】
【００１９】
宝石等の加飾部材を携帯電話機等の機器筐体に埋設したり、筐体とは別体のアクセサリ用品に埋設する場合、従来構造においては接着材を塗布したり両面接着テープを貼り付けることによって装飾部材と本体を固定しているために、他の物品が接触して当該加飾部材を脱落させてしまう可能性が高いという問題がある。
【００２０】
また、装飾部材と被固定物品の境界部に存在する接着材や両面テープが視認できる状態であるので見栄えが良くないという問題もある。
【００２１】
装飾部材が宝石状のものであった場合には、当該装飾部材の底面もしくは周面に接着材等が密に付着されるために、装飾部材の本来の有する輝き、即ち、装飾部材の多数の形成面の角度を微妙に異ならせて内面への透過光もしくは外面からの反射光の量が低減されてしまい光輝による装飾効果が低減されてしまうという問題もある。
【００２２】
なお、以上のような問題を回避するために、装飾部材を金属の台座に固定し、中を浮かすような大掛かりな構造、例えば通常の宝石指輪に採用されているような構造にすればよいのであるが、これを採用した場合には、携帯電話機やそのアクセサリ用品には製品の性格上やデザイン上の制約が大きいので採用することができず、解決策とはなり得ないものである。
【００２３】
そこで、本発明の目的は、装飾部材と被取付部材の固定を、複雑な構造を採用することなく見栄えの良い取付け構造を提供すると共に、装飾部材が宝石状のものであったときに本来持っているその光輝を損なうことのない加飾部材の取付け構造を提供することにある。
【課題を解決するための手段】
【００２４】
本発明による加飾部材の取付け構造は、次に列挙するような特徴的な構成を採用している。
【００２５】
（１）被取付部材に形成された凹部の中に、加飾部材の表面の一部を前記被取付部材から露呈させた状態となるように、保持手段を介して前記加飾部材を保持する加飾部材の取付け構造において、
前記保持手段は、
前記凹部を、前記加飾部材が格納される大内径部と、該大内径部に連設される小内径部で構成し、前記加飾部材の一端部の周縁部を係止する爪部と、該爪部から延出して前記加飾部材の他端部に至り、前記小内径部を貫通して前記爪部を前記加飾部材を前記小内径部方向に付勢する付勢部材とからなる保持部材を有して構成する加飾部材の取付け構造。
【００２６】
（２）前記加飾部材は、円または多角の錐形状に形成され、前記保持部材は、前記錐形状の基部が前記爪部で係止されるように構成する上記（１）の加飾部材の取付け構造。
【００２７】
（３）前記加飾部材は、円または多角の柱状に形成され、前記保持部材は、前記柱形状の上縁部が前記爪部で係止されるように構成する上記（１）の加飾部材の取付け構造。
【００２８】
（４）前記加飾部材の前記錐形状の頂部、または錐形部に光を入射させる光源を付加する上記（３）の加飾部材の取付け構造。
【００２９】
（５）前記加飾部材の前記柱形状の下部、または周部に光を入射させる光源を付加する上記（３）の加飾部材の取付け構造。
【００３０】
（６）前記保持部材の有する付勢部材は、該保持部材の壁面の一部を切り起こして形成される切起片を具備する上記（１）の加飾部材の取付け構造。
【００３１】
（７）前記加飾部材は、天然の貴石もしくは該貴石を模した材質で形成される上記（１）乃至（６）のいずれかの加飾部材の取付け構造。
【００３２】
（８）前記被取付部材は、携帯電話機、携帯情報端末等の電子機器の筐体である上記（１）乃至（６）のいずれかの加飾部材の取付け構造。
【００３３】
（９）前記被取付部材は、前記筐体に対して付加的に用いられるアクセサリ用品である上記（８）の加飾部材の取付け構造。
【発明の効果】
【００３４】
従って、本発明によれば、装飾部材と被取付部材の固定を、複雑な構造を採用することなく見栄えの良い取付け構造を提供すると共に、装飾部材が宝石状のものであったときに本来持っているその光輝を損なうことのない加飾部材の取付け構造を提供することができるのである。
【実施例１】
【００３５】
本発明の実施の形態による加飾部材の取付け構造を［実施例１］として図１乃至図３を用いて説明する。なお、本例は、天然宝石を模した装飾部材を携帯電話機の筐体に取付ける場合に本発明を適用した例である。
【００３６】
携帯電話機１の外観は図２に示すように、基筐体２と開閉筐体４が連結部３を介して回動自在に連結して構成され、運搬時には両筐体を２つに折り畳んだ状態とされ、通話時等には開閉筐体４を開いた状態で使用できるように構成される。
【００３７】
基筐体２と開閉筐体４を開いたときには基筐体２に設けられた多種のキーを用いて発信電話番号の指定、メール文字の入力、各種動作制御の指令等々の多種多様な携帯電話機能を行なうことができ、そのときのメイン表示内容が開閉筐体４に設けられた大型のＬＣＤ表示器に所定ドット文字で表示され、また、基筐体２と開閉筐体４を閉じたときには着信通知等のサブ表示の内容を背面表示窓５から視認することができるように構成され、開閉筐体４の背面に露呈された撮像レンズ６を用いて撮像ができるように構成されている。
【００３８】
そして、開閉筐体４の背面部に形成された薄肉部９の上位には、両面接着材１１を用いて化粧板１０が積層状態で固定されている。
【００３９】
開閉筐体４の背面には、図３に示す拡大断面図のように、開閉筐体４の外枠部を形成する厚肉の周辺部の内方に連設された薄肉部９を有し、その上面に両面接着材１１を介して化粧板１０が積層状に固定されて化粧板１０が開閉筐体４に一体化される。
【００４０】
この薄肉部９には、開閉筐体４の内部に収納された液晶表示部材５ａの表示面を露呈させる開口部９ｂが形成されると共に、詳細構造は後述する装飾石７を取り付けるための開口部９ａが形成されている。
【００４１】
この開口部９ａと開口部９ｂのそれぞれに対応する両面接着材１１の部位に開口部１１ａと開口部１１ｂが形成され、さらに、化粧板１０のそれぞれに対応する部位に開口部１０ａと開口部１０ｂが形成され、開
口部１０ｂによって形成される背面表示窓５の部位で液晶表示部材５ａの表示が視認できるように構成されている。
【００４２】
化粧板１０に穿設された開口部１０ａは、図１に拡大して示すようにその径部が３段階に亘って変化され、最下段は円柱状の小径部１０a1とされ、これに延出する円柱状の大径部１０a2を有し、その先端部は外方に広がるテーパ部１０a3が形成されている。
【００４３】
装飾石７は、その外観が天然ダイアモンドを模した多角錐に形成され、該多角錐の頂部が切り欠かれて平面化された底面７ｂとされ、該多角錐の基部面が上面７ａとされ、上面７ａと底面７ｂの間は、錐周面である錐面７ｃが形成されている。
【００４４】
装飾石７を保持するためのホルダ８は、その外観は円錐形の基部を開放した形状を有し、円錐形状の頂部は、小径部１０a1の内径より僅かに小さい外周径を有する基部８ａを有し、その上端部には装飾石７の錐面７ｃに沿う延出部８ｂが形成され、この延出部８ｂの先端部には装飾石７の上面７ａの周縁部を係止するための爪部８ｃが形成されている。
【００４５】
なお、基部８ａは、円筒状に形成され、その下部には外方に突出するように切り起こして形成された切起片８ｅの複数個が等配角度、例えば円周を４分割した９０度間隔の４個が設けられている。
【００４６】
なお、基部８ａから延出する延出部８ｂと爪部８ｃは、装飾石７の錐面を複数分割した割型位置に形成され、４分割もしくはこれ以上の数に分割されている。また、基部８ａに切り起し形成された切起片８ｅも、基部８ａの開口部８ｄを形成する円筒面を複数に分割した位置に形成され、当該切起片８ｅの先端が上方向（延出部８ｂの方向）に突出して形成される。
【００４７】
ホルダ８の基部８ａと延出部８ｂの境部に介挿される締付用カラー１２は、円環の厚板状に形成され、その外周径が開口部１０ａの大径部１０a2より小さく設定され、その内方の断面形状はホルダ８の延出部８ｂの斜面と同様のテーパ部を有して形成されている。
【００４８】
従って、化粧板１０に装飾石７を固定するには装飾石７の底面７ｂをホルダ８の基部８ａの上部に当接させた状態で当該装飾石７の上面７ａの周縁部を保持して一体化し、締付用カラー１２を基部８ａの切起片８ｅの付勢力に抗して挿入して一体化したものを化粧板１０の小径部１０a1にホルダ８の基部８ａの下端を挿入し、切起片８ｅの付勢力に抗してさらに挿入する。
【００４９】
すると、切起片８ｅの付勢力によってホルダ８の全体が下方に引っ張られ、これに伴って締付用カラー１２の底面が開口部１０ａの段差面によって位置規制された状態でホルダ８の延出部８ｂが引っ張られて爪部８ｃによる装飾石７の固定がより強固になされる。
【００５０】
このような保持状態において、装飾石７に何らかの外力が加えられたときには、その外力によって装飾石７の全体が僅かに移動することになるが、外力がなくなったときには装飾石７の当該移動は切起片８ｅによるばね力の存在によって正規位置に復旧し、換言すれば、装飾石７に外力が加わってもその緩衝動作が切起片８ｅの存在によってなされるので装飾石７の脱落等の事故が生じることがない。
【００５１】
また、装飾石７の外面には従来技術に見られるような接着材や両面テープ等の部材が密接して形成されていないので、装飾石７の自身の有する光輝の特性が全く阻害されることなく有効に働く。
【００５２】
なお、ホルダ８における延出部８ｂと爪部８ｃの対は割り型で形成されているがその分割数は全くの任意であって、多角の錐形状に形成された装飾石７の場合と、当該装飾石７が円または多角の柱状に形成された場合等に対応して任意に設定することができ、また、切起片８ｅの分割の個数も装飾石７の形状や大きさに応じて全くの任意に設定することができる。
【実施例２】
【００５３】
今まで説明した［実施例１］は、装飾石７の上面から入射される光に対応して自身の表面からの反射光並びに装飾石７内部に入射された光が他の面によって反射および／または透過されることによって宝石に独特の光輝を呈するものであるが、装飾石に光を入射する光源を積極的に設けるようにしても良く、この具体例を［実施例２］として説明する。
【００５４】
［実施例２］は、図１に示すような加飾部材の取付け構造におけるホルダ８の基部８ａに形成されている開口部８ｄの内部に図４に示すようなＬＥＤ１３が位置するようにしたもので、このＬＥＤ１３は、携帯電話の着信に応じて点灯したり点滅するような回路が接続され、また、点灯や点滅の色が多種になるように制御される。
【００５５】
よって、［実施例１］と同様にして装飾石７を化粧板１０に保持した状態においては、ＬＥＤ１３とホルダ８の間は完全に離隔した状態であるので装飾石７に外力が印加されてもＬＥＤ１３には全くの影響がない。
【００５６】
また、装飾石７の外面には従来技術に見られるような接着材や両面テープ等の部材が密接して形成されていないので、装飾石７の自身の有する光輝の特性が全く阻害されることなく有効に働き、これに付加される光、即ち、ＬＥＤ１３による発光束が装飾石７の底面７ｂから入射され、その発光束が装飾石７の内部を透過して上面７ａから出射される。
【００５７】
なお、ホルダ８における延出部８ｂと爪部８ｃの対は割り型で形成されているがその分割数は全くの任意であって、多角の錐形状に形成された装飾石７の場合と、当該装飾石７が円または多角の柱状に形成された場合等に対応して任意に設定することができ、また、切起片８ｅの分割の個数も装飾石７の形状や大きさに応じて全くの任意に設定することができることは勿論である。
【００５８】
なお、本発明に係る加飾部材の取付け構造は,前述の２つの実施例に限定されることなくその要旨を逸脱しない範囲内において種々の変形実施を採用することができる。
【００５９】
加飾部材の取付け構造を用いて装飾部材が保持される被取付部材は、携帯電話機の本体であったが、他の電子機器、例えば赤外線リモコン、ＰＤＡ、ディスク再生装置等々の電子機器の本体であっても良く、これらの機器に対して付加的に用いられるアクセサリ用品、例えばストラップに設けるようにしたり、当該機器とは関連が薄い用品、例えばキーホルダーに設けるようにしてもよく、いかなる被取付部材であっても良いことは勿論である。また、サイズや寿命等を考慮して、ＬＥＤ１３の代わりに光ファイバーを用いて種々の面での自由度を上げる事ができる。
【図面の簡単な説明】
【００６０】
【図１】本発明による加飾部材の取付け構造の［実施例１］の要部を拡大して示す断面図である。
【図２】本発明による加飾部材の取付け構造の［実施例１］の外観を示す斜視図である。
【図３】本発明による加飾部材の取付け構造の［実施例１］の開閉筐体と化粧板と両面接着材の構造を説明するための分解断面図である。
【図４】本発明による加飾部材の取付け構造の［実施例２］の要部を拡大して示す断面図である。
【符号の説明】
【００６１】
１    携帯電話機
２    基筐体
３    連結部
４    開閉筐体
５    背面表示窓
５ａ  液晶表示部材
６    撮像レンズ
７    装飾石
７ａ  上面
７ｂ  底面
７ｃ  錐面
８    ホルダ
８ａ  基部
８ｂ  延出部
８ｃ  爪部
８ｄ  開口部
８ｅ  切起片
９    薄肉部
９ａ  開口部
９ｂ  開口部
１０  化粧板
１１  両面接着材
１１ａ  開口部
１１ｂ  開口部
１２  締付用カラー
１３  ＬＥＤ
【図１】
2006066963.tif 000003
【図２】
2006066963.tif 000004
【図３】
2006066963.tif 000005
【図４】
2006066963.tif 000006